(57)【要約】【課題】  ユーザに負担を与えることなく、ユーザの好みを反映させた画像処理を行うことができるようにする。【解決手段】  ハードディスクに保存された画像データについて、処理済み画像と処理前の画像との差異および判定の基準となるパラメータに基づいて、画像処理が必要か不要かを判定する。ユーザは判定結果に基づいて画像処理を実行する。画像処理を実行する指示を受け付けた画像についての、処理済み画像と処理前画像との差異に基づいてパラメータを変更する。【選択図】          図１
2006166045.tif 000002
【特許請求の範囲】
【請求項１】
画像に対して画質を向上させる画像処理を施すことにより処理済み画像を取得する画像処理手段と、
前記処理済み画像と前記画像処理を施す前の処理前画像との差異、および前記画像に対して前記画像処理が必要であるか不要であるかを判定する基準となるパラメータに基づいて、前記画像に対して前記画像処理が必要であるか不要であるかを判定する判定手段と、
前記画像に対する前記画像処理を実行するか否かの指示を受け付ける受け付け手段と、
前記画像処理の実行の有無および前記処理済み画像と前記処理前画像との差異に基づいて、前記パラメータを変更するパラメータ変更手段とを備えたことを特徴とする画像処理判定装置。
【請求項２】
前記判定手段は、前記処理済み画像と前記処理前画像との、相対応する画素間の画素値の変化量の代表値を前記差異として算出し、所定のしきい値を前記パラメータとし、前記代表値と該所定のしきい値とを比較し、該代表値が該所定のしきい値を超える場合に、前記画像に対して画像処理が必要であると判定し、該代表値が該所定のしきい値以下の場合に、前記画像に対して画像処理が不要であると判定する手段であり、
前記パラメータ変更手段は、前記所定のしきい値を変更することにより前記パラメータを変更する手段であることを特徴とする請求項１記載の画像処理判定装置。
【請求項３】
前記画像を識別する識別情報および前記差異を登録したデータベースを保存する保存手段をさらに備えたことを特徴とする請求項１または２記載の画像処理判定装置。
【請求項４】
画像に対して画質を向上させる画像処理を施すことにより取得される処理済み画像と前記画像処理を施す前の処理前画像との差異、および前記画像に対して前記画像処理が必要であるか不要であるかを判定する基準となるパラメータに基づいて、前記画像に対して前記画像処理が必要であるか不要であるかを判定し、
前記画像に対する前記画像処理を実行するか否かの指示を受け付け、
前記画像処理の実行の有無および前記処理済み画像と前記処理前画像との差異に基づいて、前記パラメータを変更することを特徴とする画像処理判定方法。
【請求項５】
画像に対して画質を向上させる画像処理を施すことにより取得される処理済み画像と前記画像処理を施す前の処理前画像との差異、および前記画像に対して前記画像処理が必要であるか不要であるかを判定する基準となるパラメータに基づいて、前記画像に対して前記画像処理が必要であるか不要であるかを判定する手順と、
前記画像に対する前記画像処理を実行するか否かの指示を受け付ける手順と、
前記画像処理の実行の有無および前記処理済み画像と前記処理前画像との差異に基づいて、前記パラメータを変更する手順とを有することを特徴とする画像処理判定方法をコンピュータに実行させるためのプログラム。
【発明の詳細な説明】
【技術分野】
【０００１】
本発明は、画質を向上させるための画像処理が、画像に対して必要であるか不要であるかを判定する画像処理判定装置および方法並びに画像処理判定方法をコンピュータに実行させるためのプログラムに関するものである。
【背景技術】
【０００２】
デジタルカメラおよびスキャナの普及により、誰もが手軽にデジタルの画像を取得することが可能となっている。また、画像をパソコンに取り込んで、画像処理アプリケーションを用いて、階調補正処理、色補正処理、明るさ補正処理、ホワイトバランス補正処理、彩度補正処理、シャープネス処理、ノイズ除去処理、赤目補正処理および美肌処理等の各種処理のうちの少なくとも１つの処理からなる画像処理を画像に対して施すことも行われている。このような画像処理アプリケーションは、ユーザが所望とするように各処理のパラメータを調整することが可能であるが、思うように画像処理を施すことができるようになるには熟練を要する。
【０００３】
このため、あらかじめ定められたアルゴリズムにしたがって、画像に対して自動で画像処理を施す各種手法が提案されている（特許文献１，２参照）。このような手法を用いれば、画像に対して自動で画像処理を施すことが可能となり、ユーザの負担を軽減することができる。
【特許文献１】特開２０００−５７３２１号公報
【特許文献２】特開２００４−１１２４９４号公報
【発明の開示】
【発明が解決しようとする課題】
【０００４】
しかしながら、自動で画像処理を施す場合であっても、画像処理を施す画像はユーザが自分で画像を見ながら決定する必要があるため、ユーザの負担が大きい。また、画像によっては画像処理を施してみたものの、画像処理の前後でそれほど画質が向上されないような場合もある。このような場合、ユーザは無駄な画像処理を実行することとなる。このため、画像処理が必要であるか不要であるかを画像処理を実行する前に前もって判定することが考えられる。
【０００５】
しかしながら、画像処理が必要であると判定された画像について実際に画像を確認すると、ユーザの好みによっては画像処理が不要である場合がある。逆に画像処理が不要であると判定された画像についても、実際に画像を確認すると、ユーザの好みによっては画像処理が必要である場合もある。
【０００６】
本発明は上記事情に鑑みなされたものであり、ユーザに負担を与えることなく、ユーザの好みを反映させた画像処理を行うことができるようにすることを目的とする。
【課題を解決するための手段】
【０００７】
本発明による画像処理判定装置は、画像に対して画質を向上させる画像処理を施すことにより処理済み画像を取得する画像処理手段と、
前記処理済み画像と前記画像処理を施す前の処理前画像との差異、および前記画像に対して前記画像処理が必要であるか不要であるかを判定する基準となるパラメータに基づいて、前記画像に対して前記画像処理が必要であるか不要であるかを判定する判定手段と、
前記画像に対する前記画像処理を実行するか否かの指示を受け付ける受け付け手段と、
前記画像処理の実行の有無および前記処理済み画像と前記処理前画像との差異に基づいて、前記パラメータを変更するパラメータ変更手段とを備えたことを特徴とするものである。
【０００８】
「画像処理」とは、画質を向上させることが可能であればいかなる処理であってもよく、具体的には、階調補正処理、色補正処理、明るさ補正処理、ホワイトバランス補正処理、彩度補正処理、シャープネス処理、ノイズ除去処理、赤目補正処理および美肌処理等の各種処理のうちの少なくとも１つの処理を用いることができる。
【０００９】
なお、本発明による画像処理判定装置においては、前記判定手段を、前記処理済み画像と前記処理前画像との、相対応する画素間の画素値の変化量の代表値を前記差異として算出し、所定のしきい値を前記パラメータとし、前記代表値と該所定のしきい値とを比較し、該代表値が該所定のしきい値を超える場合に、前記画像に対して画像処理が必要であると判定し、該代表値が該所定のしきい値以下の場合に、前記画像に対して画像処理が不要であると判定する手段とし、
前記パラメータ変更手段を、前記所定のしきい値を変更することにより前記パラメータを変更する手段としてもよい。
【００１０】
「代表値」とは、画像の一部または全体における画素値の変化量を代表する値であればいかなる値をも用いることができ、具体的には画素値の変化量の平均値およびメディアン値等を用いることができる。なお、「画素値」としては、例えば画像がＲＧＢの３色からなる場合において、各色から算出される輝度値、３色の画素値そのものを用いることができる。この場合、画素値の変化量としては、画像と処理済み画像とにおける輝度値の差の絶対値、画像と処理済み画像とにおける画素値のＲＧＢ３次元色空間における距離（すなわち差の２乗の平方根）等を用いることができる。
【００１１】
また、本発明による画像処理判定装置においては、前記画像を識別する識別情報および前記差異を登録したデータベースを保存する保存手段をさらに備えるものとしてもよい。
【００１２】
本発明による画像処理判定方法は、画像に対して画質を向上させる画像処理を施すことにより取得される処理済み画像と前記画像処理を施す前の処理前画像との差異、および前記画像に対して前記画像処理が必要であるか不要であるかを判定する基準となるパラメータに基づいて、前記画像に対して前記画像処理が必要であるか不要であるかを判定し、
前記画像に対する前記画像処理を実行するか否かの指示を受け付け、
前記画像処理の実行の有無および前記処理済み画像と前記処理前画像との差異に基づいて、前記パラメータを変更することを特徴とするものである。
【００１３】
なお、本発明による画像処理判定方法をコンピュータに実行させるためのプログラムとして提供してもよい。
【発明の効果】
【００１４】
本発明によれば、処理済み画像と処理前画像との差異、および画像に対して画像処理が必要であるか不要であるかを判定する基準となるパラメータに基づいて、画像に対して画像処理が必要であるか不要であるかが判定される。また、画像に対する画像処理を実行するか否かの指示が受け付けられ、画像処理の実行の有無および処理済み画像と処理前画像との差異が学習されてパラメータが変更される。このため、画像処理が必要であるか不要であるかを判定する基準となるパラメータは、画像処理を実行する指示を行ったユーザの好みが反映されることとなる。したがって、パラメータを変更した後の処理において、ユーザの好みを反映させて画像処理が必要であるか不要であるかの判定を行うことができ、その結果、ユーザの好みを反映させた画像処理を行うことができる。
【発明を実施するための最良の形態】
【００１５】
以下、図面を参照して本発明の実施形態について説明する。図１は本発明の実施形態による画像処理判定装置の構成を示す概略ブロック図である。図１に示すように本実施形態による画像処理判定装置１は、画像データの記録制御および表示制御等の各種制御を行うとともに、装置１を構成する各部の制御を行うＣＰＵ１２と、ＣＰＵ１２を動作させるプログラム、画像を閲覧するためのビューアソフトおよび各種定数が記録されているＲＯＭおよびＣＰＵ１２が処理を実行する際の作業領域となるＲＡＭにより構成されるシステムメモリ１４と、種々の指示を装置１に対して行うためのキーボードおよびマウス等からなる入力部１６と、各種表示を行う液晶モニタ等からなる表示部１８とを備える。
【００１６】
また、装置１は、画像データを記録したメモリカード２から画像データを読み出したり、メモリカード２に画像データを記録したりするためのカードスロット２０と、画像データをＪＰＥＧやモーションＪＰＥＧに代表される手法で圧縮したり、圧縮した画像データを解凍する圧縮解凍部２２と、画像データやＣＰＵ１２が実行する各種プログラム等を記録するハードディスク２４と、システムメモリ１４、カードスロット２０およびハードディスク２４を制御するメモリ制御部２６とを備える。
【００１７】
さらに、装置１は、画像データに画像処理を施して処理済み画像データを取得する画像処理部２８と、処理済み画像データにより表される処理済み画像と、画像処理前の画像データにより表される処理前画像との、相対応する画素間の画素値の変化量の代表値を算出する変化量算出部３０と、代表値に基づいて、画像データに対して画像処理を施す必要があるか否かを判定する判定部３２とを備える。
【００１８】
画像処理部２８は、あらかじめ定められたアルゴリズムにしたがい、階調補正処理、色補正処理、明るさ補正処理、ホワイトバランス補正処理、彩度補正処理、シャープネス処理、ノイズ除去処理、赤目補正処理および美肌処理等の各種処理のうちの少なくとも１つの処理からなる画像処理を画像データに対して施すことにより処理済み画像データを得る。
【００１９】
変化量算出部３０は、処理前画像と処理済み画像との相対応する画素間の画素値の変化量の代表値を算出する。なお、画素値の変化量としては、画素値の変化量そのもの（例えば画素値がＲＧＢの各色からなる場合、処理前画像と処理済み画像の相対応する画素におけるＲＧＢ値の差ΔＲ、ΔＧ、ΔＢの２乗の平方根）、ＲＧＢ各色から求められる輝度値の差の絶対値等を用いることができる。なお、本実施形態においては、代表値として画素値の変化量の平均値を用いるが、これに限定されるものではなく、画素値の変化量のメディアン値等、画素値の変化量を代表する値であれば、任意の値を用いることができる。
【００２０】
判定部３２は、代表値と所定のしきい値とを比較し、代表値が所定のしきい値Ｔｈ１を超える場合に、画像に対して画像処理が必要であると判定し、代表値が所定のしきい値Ｔｈ１以下の場合に、画像に対して画像処理が不要であると判定し、判定結果を出力する。
【００２１】
なお、本実施形態においては、上述した画像処理部２８、変化量算出部３０および判定部３２が行う処理を、システムメモリ１４が記憶するビューアソフトの機能に組み込むことにより、ソフトウェアにより処理を実行するようにしてもよい。
【００２２】
次いで、本実施形態において行われる処理について説明する。
【００２３】
第１の処理
図２は本実施形態において行われる第１の処理のフローチャートである。なお、第１の処理においては、画像データはメモリカード２から読み出されてハードディスク２４に保存されているものとする。
【００２４】
ビューアソフトを起動し、ユーザが所望するフォルダに保存されている画像データの一覧表示の指示をユーザが入力部１６から行うことにより処理が開始され、ＣＰＵ１２は処理の対象となる画像データをファイル名が最初の画像データとすべく、Ｎ＝１（Ｎはユーザが所望するフォルダに保存されている画像データの数）に設定する（ステップＳＴ１）。次いで、画像処理部２８が画像データに対して画像処理を施して処理済み画像データを取得する（ステップＳＴ２）。
【００２５】
そして、変化量算出部３０が、処理前の画像および処理済み画像の全体について、画素値の変化量を算出する（ステップＳＴ３）。ここでは、各画素におけるＲＧＢ各色の差の２乗の平方根を画素値の変化量として算出する。なお、各画素におけるＲＧＢ３色の画素値から算出した輝度値の差の絶対値を画素値の変化量として算出してもよい。さらに、変化量算出部３０は、画像の全体についての画素値の変化量の代表値を算出する（ステップＳＴ４）。
【００２６】
そして、判定部３２が、代表値が所定のしきい値Ｔｈ１を超えるか否かを判定する（ステップＳＴ５）。ステップＳＴ５が肯定されると、現在処理中の画像データは画像処理が必要であると判定する（ステップＳＴ６）。一方、ステップＳＴ５が否定されると、現在処理中の画像データは画像処理が不要であると判定する（ステップＳＴ７）。
【００２７】
ステップＳＴ６，７に続いて、すべての画像データについて処理を終了したか否かを判定し（ステップＳＴ８）、ステップＳＴ８が否定されるとファイル名が次の画像データを処理対象とすべくＮ＝Ｎ＋１に設定し（ステップＳＴ９）、ステップＳＴ２に戻る。ステップＳＴ８が肯定されると、画像処理が必要か不要かが分かるように画像データの一覧を生成し（ステップＳＴ１０）、生成した一覧を含む一覧画面を表示部１８に表示し（ステップＳＴ１１）、処理を終了する。
【００２８】
図３は画像データの一覧画面を示す図である。図３に示すように画像データの一覧画面５０には、画像データの一覧を表示する一覧表示フィールド５０Ａ、一覧をスクロールするスクロールバー５０Ｂ、一覧においてユーザが選択した画像データについて、処理前の画像および処理済み画像を比較する比較画面を表示する表示ボタン５０Ｃ、画像処理が必要であると判定された画像データを画像処理が不要なものに、画像処理が不要であると判定された画像データを画像処理が必要なものにそれぞれ変更する変更ボタン５０Ｄ、画像処理が必要であると判定された画像データに対して画像処理を実行する指示を行う実行ボタン５０Ｅ、および表示を終了する終了ボタン５０Ｆが表示されている。
【００２９】
表示フィールド５０Ａにはユーザが所望するフォルダに保存されている画像データにより表される画像のサムネイル画像の一覧が表示される。また、表示フィールド５０Ａにおいて画像処理が必要であると判定された画像に対応するサムネイル画像の右下隅には○印が、画像処理が不要であると判定された画像に対応するサムネイル画像の右下隅には×印が付与されている。
【００３０】
ユーザは画像データの一覧を見ることにより、どの画像に対して画像処理が必要であり、どの画像に対して画像処理が不要であるかを確認することができる。
【００３１】
また、所望とするサムネイル画像を選択して表示ボタン５０Ｃをクリックすることにより、選択したサムネイル画像に対応する画像について、処理前の画像および処理済み画像を表示する比較画面が別ウィンドウで開かれる。また、変更ボタン５０Ｄをクリックすることにより、画像処理が必要であると判定された画像データを画像処理が不要なものに、また画像処理が不要であると判定された画像データを画像処理が必要なものにそれぞれ変更することができる。この場合、サムネイル画像を指定して変更ボタン５０Ｄをクリックすることにより、サムネイル画像に付与されている○印と×印とが入れ替わる。また、実行ボタン５０Ｅをクリックすることにより、画像処理が必要であると判定されたすべての画像データに対して画像処理を施すことができる。なお、一覧表示フィールド５０Ａにおいて画像を選択して実行ボタン５０Ｅをクリックすると、選択した画像データに対して画像処理を施すことができる。また、終了ボタン５０Ｆをクリックすることにより処理を終了することができる。
【００３２】
図４は第１の処理における比較画面を示す図である。図４に示すように比較画面５１には、処理前画像５１Ａ、処理済み画像５１Ｂ、画像処理を実行する指示を行う実行ボタン５１Ｃ、画像処理が必要であると判定された画像データを画像処理が不要なものに、また画像処理が不要であると判定された画像データを画像処理が必要なものにそれぞれ変更する変更ボタン５１Ｄ、および比較画面５１を閉じるための終了ボタン５１Ｅが表示されている。なお、処理前画像５１Ａおよび処理済み画像５１Ｂの下方には、それぞれ処理前、処理後のものであることが分かるように「処理前」および「処理後」の文字が付与されている。
【００３３】
なお、画像処理部２８が取得した処理済み画像データを保存していない場合には、実行ボタン５０Ｃがクリックされると、画像データまたは縮小した画像データに対して画像処理を実行し、処理済み画像データを生成して比較画面５１を表示する。また、画像処理部２８が取得した処理済み画像データを保存している場合には、実行ボタン５０Ｃがクリックされると、保存した処理済み画像データにより表される処理済み画像５１Ｂを比較画面５１に表示する。
【００３４】
ユーザは実行ボタン５１Ｃをクリックすることにより、選択した画像データに対して画像処理を実行することができる。なお、画像処理部２８が取得した処理済み画像データを保存していない場合には、実行ボタン５１Ｃがクリックされると、画像データに対して画像処理を実行し、処理済み画像データを生成する。また、画像処理部２８が取得した処理済み画像データを保存している場合には、実行ボタン５１Ｃがクリックされると、保存した処理済み画像データを読み出す。なお、一覧画面５０における実行ボタン５０Ｅがクリックされた場合も、同様に処理済み画像データの生成または読み出しが行われる。
【００３５】
また、変更ボタン５１Ｄをクリックすることにより、画像処理が必要であると判定された画像データを画像処理が不要なものに、また画像処理が不要であると判定された画像データを画像処理が必要なものにそれぞれ変更することができる。また、終了ボタン５１Ｅをクリックすることにより比較画面５１を閉じることができる。なお、画像処理が必要であると判断された画像を不要なものに変更した場合において、処理済み画像データを保存していた場合には、保存していた処理済み画像データは消去される。
【００３６】
ここで、画像処理を実行した画像データについては、処理前の画像データが処理済み画像データにより上書きされる。なお、ファイル名を変更して画像データとは別に処理済み画像データを保存してもよいことはもちろんである。
【００３７】
さらに、第１の処理においては、画像処理を実行した際に、画像データに対する画像処理の実行の有無および画素値の変化量の代表値に基づいて、所定のしきい値Ｔｈ１を変更する。以下、しきい値Ｔｈ１の変更の処理について説明する。
【００３８】
図５は第１の処理におけるしきい値変更の処理を示すフローチャートである。まず、画像処理を実行したすべての画像データについて画素値の変化量の代表値を取得する（ステップＳＴ２１）。そして、すべての代表値のうち、最も値が小さい最小代表値を取得する（ステップＳＴ２２）。そして、最小代表値を新たなしきい値Ｔｈ１とすべく、しきい値Ｔｈ１を変更する（ステップＳＴ２３）。さらに、画像処理が必要であるか不要であるかを判定したすべての画像データについて、画像データのファイル名、画像処理が必要か不要かの判定結果、画像処理を実行したか否かの情報および代表値をデータベースＤＢ１に登録し（ステップＳＴ２４）、処理を終了する。なお、データベースＤＢ１はハードディスク２４に保存される。
【００３９】
図６はデータベースＤＢ１の構成を示す図である。図６に示すようにデータベースＤＢ１にはユーザが所望するフォルダに保存されている画像データのファイル名、画像処理が必要か不要かの判定結果、画像処理を実行したか否かについての情報、および代表値が登録されている。なお、図６に示すデータベースＤＢ１において、画像処理を実行した場合には「実行」、実行しなかった場合には「しない」と登録される。
【００４０】
なお、変更したしきい値Ｔｈ１は、判定部３２が保存してもよいが、データベースＤＢ１に登録してもよい。
【００４１】
このように、第１の処理においては、画像処理を実行する指示を受け付けた画像についての、画像処理の実行の有無および処理済み画像と処理前画像との代表値に基づいてしきい値Ｔｈ１を変更するようにしたため、画像処理が必要か不要かの判断の基準となるしきい値Ｔｈ１は、画像処理を実行する指示を行ったユーザの好みが反映されることとなる。このため、しきい値Ｔ１を変更した後の処理において、ユーザの好みを反映させて画像処理が必要であるか不要であるかの判定を行うことができ、その結果、ユーザの好みを反映させた画像処理を行うことができる。
【００４２】
また、代表値をデータベースＤＢ１に登録することにより、しきい値Ｔｈ１を変更しても、その処理における判定結果についてユーザの好みを反映させたまま保存することができる。したがって、後の処理においてデータベースＤＢ１を参照することにより、画像処理が必要であるか不要であるかを判定した画像データについて、再度判定を行う必要をなくすことができる。
【００４３】
第２の処理
次いで、第２の処理について説明する。図７は本実施形態において行われる第２の処理におけるしきい値変更の処理を示すフローチャートである。
【００４４】
まず、画像処理が必要であるか不要であるかを判定したすべての画像データについて、画素値の変化量の代表値と画像処理の実行率との関係を算出する（ステップＳＴ３１）。具体的には、例えば代表値が０〜１００までの値をとる場合、代表値を１０の区分に分け、区分毎に画像処理を実行した画像データの数を各区分に代表値が含まれるすべての画像データの数により除算することにより、画像処理の実行率（％）を算出する。なお、画素値の変化量の代表値と画像処理の実行率との関係は例えば図８に示すものとなる。
【００４５】
このように算出した代表値と実行率との関係から、代表値と実行率との関係を近似する近似関数を算出する（ステップＳＴ３２）。そして近似関数において、画像処理実行率が５０％を示す代表値を新たなしきい値Ｔｈ１とすべく、しきい値Ｔｈ１を変更し（ステップＳＴ３３）、さらに第１の処理と同様に、画像処理が必要であるか不要であるかを判定したすべての画像データについて、画像データのファイル名、画像処理が必要か不要かの判定結果、画像処理を実行したか否かの情報および代表値をデータベースＤＢ１に登録し（ステップＳＴ３４）、処理を終了する。
【００４６】
なお、上記実施形態においては、ユーザが入力部１６からビューアソフトを起動し、ユーザが所望するフォルダに保存されている画像データの一覧表示の指示を行うことにより処理を行っているが、例えば、ユーザがメモリカード２をカードスロット２０に装填し、メモリカード２に記録されている画像データのハードディスク２４への保存を指示した際に、処理を行うようにしてもよい。これにより、ハードディスク２４に保存された画像データに対して、画像処理が必要か不要かの判定を確実に行うことができるため、画像処理が必要な画像データに対して画像処理が施されなくなってしまう事態を回避することができる。
【００４７】
また、上記実施形態においては、第１の処理および第２の処理に示すようにしきい値Ｔｈ１を変更しているが、ニューラルネットワークおよびブースティングのようなマシンラーニングの手法を用いて代表値の学習を行うことにより、しきい値Ｔｈ１を変更してもよい。
【００４８】
また、上記実施形態においては、処理前の画像と処理済み画像とにおいて、画素値の変化量の代表値を算出し、代表値が所定のしきい値Ｔｈ１より大きい場合に、その画像データについて画像処理が必要と判定し、代表値が所定のしきい値Ｔｈ１以下の場合に、その画像データについて画像処理が不要と判定しているが、画像処理が必要であるか不要であるかを判定する手法はこの手法に限定されるものではなく、処理前画像と処理済み画像との差異、および画像処理が必要であるか不要であるかを判定する基準となるパラメータに基づいて判定を行うものであれば、任意の手法を用いることができる。
【図面の簡単な説明】
【００４９】
【図１】本発明の実施形態による画像処理判定装置の構成を示す概略ブロック図
【図２】本実施形態において行われる第１の処理のフローチャート
【図３】画像データの一覧画面を示す図
【図４】比較画面を示す図
【図５】第１の処理におけるしきい値変更の処理を示すフローチャート
【図６】データベースの登録内容を示す図
【図７】第２の処理におけるしきい値変更の処理を示すフローチャート
【図８】画素値の変化量の代表値と画像処理の実行率との関係を示す図
【符号の説明】
【００５０】
１    画像処理判定装置
２    メモリカード
１２    ＣＰＵ
１４    システムメモリ
１６    入力部
１８    表示部
２０    カードスロット
２２    圧縮解凍部
２４    ハードディスク
２６    メモリ制御部
２８    画像処理部
３０    変化量算出部
３２    判定部
５０    一覧画面
５１    比較画面
【図１】
2006166045.tif 000003
【図２】
2006166045.tif 000004
【図３】
2006166045.tif 000005
【図４】
2006166045.tif 000006
【図５】
2006166045.tif 000007
【図６】
2006166045.tif 000008
【図７】
2006166045.tif 000009
【図８】
2006166045.tif 000010